(57)【要約】【課題】通気性に優れ、発汗によって生ずる蒸れを軽減し得るレッグガードを提供する。【解決手段】横断面弯曲状で縦長の硬質保護板５と、保護板５の裏面に取着される上被覆片部１と下被覆片部２とを、備え、保護板５の裏面側に於て、上被覆片部１の下端縁と下被覆片部２の上端縁が裏面の左右方向中間位置にて上下に大離間寸法をもって離間した形状の面状凹所を、裏面の露出面と下端縁・上端縁をもって形成し、裏面の左右の少なくとも一方の外端位置に、上被覆片部の下端縁と下被覆片部の上端縁が小離間寸法をもって離間した分離部を形成し、上被覆片部１と下被覆片部２を下腿部３０に巻設した装着状態で、保護板５の裏面側に、面状凹所によって、下腿部非接触用空間部を形成し、かつ、分離部によって、空間部の空気の出入口となる通気孔部４が形成されるように構成している。【選択図】図１
2015008908.tif 000002
【特許請求の範囲】
【請求項１】
横断面弯曲状で縦長の硬質保護板（５）と、該保護板（５）の裏面（５Ａ）に取着される上被覆片部（１）と下被覆片部（２）とを、備え、
上記保護板（５）の裏面（５Ａ）側に於て、上記上被覆片部（１）の下端縁（１Ｂ）と上記下被覆片部（２）の上端縁（２Ｂ）が上記裏面（５Ａ）の左右方向中間位置（５Ｃ）にて上下に大離間寸法（Ｌ０）をもって離間した形状の面状凹所（６）を、上記裏面（５Ａ）の露出面と上記下端縁（１Ｂ）・上端縁（２Ｂ）をもって形成し、上記裏面（５Ａ）の左右の少なくとも一方の外端位置（５Ｄ）に、上記上被覆片部（１）の下端縁（１Ｂ）と上記下被覆片部（２）の上端縁（２Ｂ）が小離間寸法（Ｌ１）をもって離間した分離部（８）を形成し、
上記上被覆片部（１）と上記下被覆片部（２）を下腿部（３０）に巻設した装着状態で、上記保護板（５）の上記裏面（５Ａ）側に、上記面状凹所（６）によって、下腿部非接触用空間部（９）を形成し、かつ、上記分離部（８）によって、上記空間部（９）の空気の出入口となる通気孔部（４）が形成されるように構成したことを特徴とするレッグガード。
【請求項２】
上記上被覆片部（１）は、上記保護板（５）の側端縁から突出状の上舌片（１１）を有し、かつ、下被覆片部（２）は、上記保護板（５）の側端縁から突出状の下舌片（１２）を有し、
上記上舌片（１１）の下端縁（１１Ｂ）と上記下舌片（１２）の上端縁（１２Ｂ）は、上下に離間し、かつ、相互に略平行状に形成されている請求項１記載のレッグガード。
【請求項３】
上記保護板（５）は、表て面（５Ｂ）に複数の突隆部（２５）を有し、該突隆部（２５）の裏側には凹窪部（２４）が形成され、
上記面状凹所（６）が、該凹窪部（２４）に対応するように配設されている請求項１又は２記載のレッグガード。
【発明の詳細な説明】
【技術分野】
【０００１】
本発明は、レッグガードに関する。
【背景技術】
【０００２】
従来、野球やソフトボール等の競技に於て、打者が下腿部を自打球の衝撃から保護するために装着するレッグガードが知られている（特許文献１参照）。
【先行技術文献】
【特許文献】
【０００３】
【特許文献１】特開平１１−１１４１２５号公報
【発明の概要】
【発明が解決しようとする課題】
【０００４】
しかし、特許文献１記載のレッグガードは、横断面Ｃ字状に弯曲させた１枚の被覆部材をもって、膝下から足首にわたって被覆するものである為、通気性が悪く、レッグガードを装着してプレーしている時に使用者が発汗してレッグガードの裏面側に蒸れが発生すると、不快感を感じて快適にプレーできない虞れがあり、使用者がプレーに集中できないという欠点があった。
【０００５】
そこで、本発明は、通気性に優れ、発汗によって生ずる蒸れを軽減し得るレッグガードを提供することを目的とする。
【課題を解決するための手段】
【０００６】
本発明に係るレッグガードは、横断面弯曲状で縦長の硬質保護板と、該保護板の裏面に取着される上被覆片部と下被覆片部とを、備え、上記保護板の裏面側に於て、上記上被覆片部の下端縁と上記下被覆片部の上端縁が上記裏面の左右方向中間位置にて上下に大離間寸法をもって離間した形状の面状凹所を、上記裏面の露出面と上記下端縁・上端縁をもって形成し、上記裏面の左右の少なくとも一方の外端位置に、上記上被覆片部の下端縁と上記下被覆片部の上端縁が小離間寸法をもって離間した分離部を形成し、上記上被覆片部と上記下被覆片部を下腿部に巻設した装着状態で、上記保護板の上記裏面側に、上記面状凹所によって、下腿部非接触用空間部を形成し、かつ、上記分離部によって、上記空間部の空気の出入口となる通気孔部が形成されるように構成したものである。
【０００７】
また、上記上被覆片部は、上記保護板の側端縁から突出状の上舌片を有し、かつ、下被覆片部は、上記保護板の側端縁から突出状の下舌片を有し、上記上舌片の下端縁と上記下舌片の上端縁は、上下に離間し、かつ、相互に略平行状に形成されているものである。
また、上記保護板は、表て面に複数の突隆部を有し、該突隆部の裏側には凹窪部が形成され、上記面状凹所が、該凹窪部に対応するように配設されているものである。
【発明の効果】
【０００８】
本発明のレッグガードによれば、通気性を向上でき、発汗による蒸れを軽減して、違和感なく快適にプレーできる。下腿部と硬質保護板との間の熱を逃がし、かつ、下腿部と硬質保護板の間に外気を取り込んで、下腿部を冷却できる。
【図面の簡単な説明】
【０００９】
【図１】本発明の実施の一形態の装着状態を示した側面図である。
【図２】本発明の実施の一形態の装着状態を示した斜視図である。
【図３】未装着状態のレッグガードを平面的に展開した背面図である。
【図４】図１のＡ−Ａ断面図である。
【図５】図１のＢ−Ｂ断面図である。
【図６】図１のＣ−Ｃ断面図である。
【図７】本発明の他の実施形態の装着状態を示した側面図である。
【図８】本発明の他の実施形態の装着状態を示した斜視図である。
【図９】未装着状態のレッグガードを平面的に展開した背面図である。
【発明を実施するための形態】
【００１０】
以下、実施の形態を示す図面に基づき本発明を詳説する。
本発明のレッグガードは、野球やソフトボール等の球技に於て、打者が装着する打者用のレッグガードであって、自打球の衝撃から足を保護するものである。一般に、自打球は、打者が投手側に踏み出す足の内側面から前面に当たることが多いため、右打ちの打者は、左足Ｌにレッグガードを装着し、左打ちの打者は、右足Ｒにレッグガードを装着して、バッターボックスに入る。図１と図２は、右足Ｒに左打者用のレッグガードを装着した状態を示している。
【００１１】
図１〜図３に示すように、本発明のレッグガードは、横断面弯曲状で縦長の硬質保護板５と、保護板５の裏面５Ａに取着される上被覆片部１と下被覆片部２とを、備えている。
保護板５は、硬質樹脂製であって、例えば、ポリエチレンから成る。保護板５は、左右方向両端縁部の縫着部５０，５０によって、上被覆片部１と下被覆片部２を一体に縫着し、かつ、上端縁部及び下端縁部に配設した複数のリベット４９によって、上被覆片部１と下被覆片部２を固着している。また、保護板５には、上下一対の締付ベルト４０，４０が付設されている。締付ベルト４０，４０は、プラスチック製の連結具によって切離自在であって、保護板５の両端縁部に鋲着するも良く、縫着部５０，５０によって一体に縫製するも好ましい。図２に示すように、保護板５は、装着状態で、下腿部３０の内側面から前面をボールの衝撃から守るように（下腿部３０の内側を覆うように偏在して）取付けられている。
図４と図６に示すように、上被覆片部１と下被覆片部２は、表皮３１と、発泡体３２と、裏生地３３とを、順次積層し、その外周縁に縁巻部３４が縫着されて一体状に形成されている。上被覆片部１と下被覆片部２は、発泡体３２のクッション性によって、使用者の下腿部３０をボールの衝撃から保護し、かつ、下腿部３０の表面に密着して装着時のフィット感を向上させている。
【００１２】
図３に示すように、保護板５の裏面５Ａ側に於て、上被覆片部１の下端縁１Ｂと下被覆片部２の上端縁２Ｂが裏面５Ａの左右方向中間位置５Ｃにて上下に大離間寸法Ｌ０をもって離間した形状の面状凹所６を、裏面５Ａの露出面と（上被覆片部１の）下端縁１Ｂと（下被覆片部２の）上端縁２Ｂをもって形成している。また、裏面５Ａの左右の一方の外端位置５Ｄには、上被覆片部１の下端縁１Ｂと下被覆片部２の上端縁２Ｂが小離間寸法Ｌ１をもって離間した分離部８を形成している。
即ち、裏面５Ａの中間位置５Ｃでは、上被覆片部１の下端縁１Ｂが上方に弯曲し、下被覆片部２の上端縁２Ｂが下方に弯曲して、上下に（大離間寸法Ｌ０をもって）大きく離間している。裏面５Ａの左右の外端位置５Ｄでは、上被覆片部１の下端縁１Ｂが下方に凸となり、下被覆片部２の上端縁２Ｂに当接することがないが下端縁１Ｂと上端縁２Ｂが相互に接近し、上被覆片部１と下被覆片部２は上下に（小離間寸法Ｌ１をもって）小さく離間している。
【００１３】
図１と図５に示すように、上被覆片部１と下被覆片部２を下腿部３０に巻設した装着状態で、保護板５の裏面５Ａ側に、面状凹所６によって、下腿部非接触用空間部９を形成し、かつ、分離部８によって、空間部９の空気の出入口となる通気孔部４が形成されている。
つまり、空間部９は、装着状態下で、面状凹所６による下腿部３０と上被覆片部１・下被覆片部２との非接触箇所に対応して形成されている。通気孔部４は、分離部８によって、下腿部３０と上被覆片部１・下被覆片部２が非接触状となって、保護板５の裏面５Ａの外端位置５Ｄの露出面と下腿部３０との間に生じる隙間ｄにより形成されている。この隙間ｄの大きさと上被覆片部１と下被覆片部２の厚さ寸法は、略等しい。なお、本発明に於て、装着状態では、発泡体３２を具備する上被覆片部１と下被覆片部２が弾性変形し、その厚さ寸法は常時一定ではなく変化するため、隙間ｄ（通気孔部４の厚さ寸法）と上被覆片部１と下被覆片部２の厚さ寸法は「“略”等しい」としている。
通気孔部４によって、空間部９が外部空間と連通することとなり、空間部９に外気を取り込んで下腿部３０を冷却可能となり、空気が入れ替わることで熱を排出して、なおかつ、空間部９の湿気を逃がして蒸れを防止するように構成されている。
【００１４】
図３に示すように、上被覆片部１は、保護板５の側端縁から突出状の上舌片１１を有し、下被覆片部２は、保護板５の側端縁から突出状の下舌片１２を有している。上舌片１１の下端縁１１Ｂと下舌片１２の上端縁１２Ｂは、上下に離間しており、かつ、下端縁１１Ｂと上端縁１２Ｂは相互に略平行状に形成されている。
上被覆片部１と下被覆片部２は、保護板５の左右方向のいずれか一方の側端縁から上舌片１１・下舌片１２を突出している。図１の装着状態では、上舌片１１及び下舌片１２が下腿部３０の外側面に当接するように形成されている。上舌片１１の下端縁１１Ｂと下舌片１２の上端縁１２Ｂは、外側に向かって上方傾斜状に形成され、下腿部３０の太い部位と細い部位の段差に対応するように形成されている。この下端縁１１Ｂと上端縁１２Ｂとの傾斜角度は、プラス８度〜マイナス８度の誤差に収まるように設定されている。上舌片１１と下舌片１２には、弯曲補助用の縫着部１５，１６が、上下方向に形成されている。
【００１５】
上被覆片部１は、装着状態で、上舌片１１を下腿部３０の上部の脹脛部２８に巻付けて、締付ベルト４０によって係止されている。上被覆片部１は、下腿部３０の曲面に沿って横断面Ｃ字状に弯曲し、下腿部３０上部の前面から側面にわたって隙間無く密着している（図４参照）。
下被覆片部２は、装着状態で、下舌片１２を下腿部３０の下部の足首部２７に巻付けて、締付ベルト４０によって係止されている。下被覆片部２は、下腿部３０の曲面に沿って横断面Ｃ字状に弯曲し、下腿部３０下部の前面から側面にわたって隙間無く密着している（図６参照）。また、下被覆片部２には、踝保護片１３が延設されている。踝保護片１３は、保護板５の下端縁から突出状として形成されている。
【００１６】
上舌片１１と下舌片１２を上下に離間したことで、上被覆片部１は、脹脛部２８を含む下腿部３０（上部の）の太い部位に巻設可能とし、下被覆片部２は、足首部２７を含む下腿部３０（下部の）の細い部位に巻設可能として構成されている。即ち、上被覆片部１と下被覆片部２が上下方向に分割されて、下腿部３０の太い部位と細い部位に、夫々に独立して締付自在となるように構成されている。
上舌片１１の下端縁１１Ｂと下舌片１２の上端縁１２Ｂの間隔は、野球又はソフトボールの使用球の直径よりも小さく設定されている。この構成によれば、保護板５に守られていない下腿部３０の外側面であって、上被覆片部１と下被覆片部２（上舌片１１と下舌片１２）に被覆されていない箇所にボールが当たる場合であっても、上舌片１１の下端縁１１Ｂと下舌片１２の上端縁１２Ｂの間をボールが通り過ぎることなく、下腿部３０へのボールの直撃を防止できる。
【００１７】
保護板５は、表て面５Ｂに複数の突隆部２５を有し、突隆部２５の裏側には凹窪部２４が形成されている。図３に示すように、保護板５の裏面５Ａ側の面状凹所６が、（複数の内の１つの突隆部２５の）凹窪部２４に対応するように配設されている。
この構成によれば、面状凹所６の深さ寸法が大きく確保でき、装着状態に於て、通気孔部４を形成する隙間ｄの大きさよりも分厚い面状凹所６によって形成される（下腿部非接触用）空間部９の体積が増大し、通気孔部４による換気機能が一層効率的に発揮される。
【００１８】
本発明のレッグガードは、足甲保護部材２０を具備している。
足甲保護部材２０は、下被覆片部２に連結帯１９を介して取着され、表て側の硬質保護片２１，２１と、クッション性のある足甲被覆片２２とを、有している。足甲保護部材２０は、ベルト２３を足の裏に巻き付けて固定されている。
【００１９】
上述した本発明のレッグガードの使用方法（作用）について説明する。
図１と図２に示すように、下腿部３０に上被覆片部１と下被覆片部２を当接させて、上被覆片部１を脹脛部２８に、下被覆片部２を足首部２７に巻き付けて、上下の締付ベルト４０，４０によって固定する。この際、保護板５が下腿部３０の内側に偏在するように取付け、上舌片１１と下舌片１２を下腿部３０（脹脛部２８・足首部２７）の外側面に沿って密着させる。保護板５は、下腿部３０の内側面から前面を自打球の直撃から守り、また、上被覆片部１と下被覆片部２は、保護板５と下腿部３０の間に介在してボールの衝撃を緩和すると共に、上舌片１１と下舌片１２によって、下腿部３０の外側面を保護する。
【００２０】
図５に示すように、本発明のレッグガードは、保護板５の裏面５Ａ側に、（大きな体積の）空間部９が形成され、この空間部９が、通気孔部４によって換気され、空気が入れ替わることで熱を排出し、空間部９に新しい外気を取り込んで下腿部３０を冷却する。また、使用者の発汗による空間部９の湿度の上昇を抑制して蒸れを防止する。
【００２１】
上被覆片部１と下被覆片部２は、下腿部３０の太い部位と細い部位に、夫々に独立して締付けられる。つまり、図４に示すように、上被覆片部１が脹脛部２８の曲面に沿って弯曲して密着し、一方、図６に示すように、下被覆片部２が足首部２７の曲面に沿って弯曲して密着する。従って、上被覆片部１と下被覆片部２が、過大な締付力で下腿部３０を強く締付けることなく、レッグガードが（上下方向に）位置ズレするのを確実に防止し、使用者の違和感を軽減する。
【００２２】
次に、本発明のレッグガードの他の実施形態について説明する。
図７と図８は、左足Ｌに右打者用のレッグガードを装着した状態を示している。
図９に示すように、右打者用のレッグガードは、上述した図３の左打者用のレッグガードの左右対称形状に構成されている。図７〜図９のレッグガードは、横断面弯曲状で縦長の硬質保護板５と、保護板５の裏面５Ａに取着される上被覆片部１と下被覆片部２とを、備えている。保護板５の裏面５Ａ側に於て、上被覆片部１の下端縁１Ｂと下被覆片部２の上端縁２Ｂが裏面５Ａの左右方向中間位置５Ｃにて上下に大離間寸法Ｌ０をもって離間した形状の面状凹所６を、裏面５Ａの露出面と下端縁１Ｂ・上端縁２Ｂをもって形成し、裏面５Ａの左右の一方の外端位置５Ｄに、上被覆片部１の下端縁１Ｂと下被覆片部２の上端縁２Ｂが小離間寸法Ｌ１をもって離間した分離部８を形成している。
図７と図８に示すように、上被覆片部１と下被覆片部２を下腿部３０に巻設した装着状態で、保護板５の裏面５Ａ側に、面状凹所６によって、下腿部非接触用空間部９を形成し、かつ、分離部８によって、空間部９の空気の出入口となる通気孔部４が形成されている。
図１〜図３に示す（左打者用の）レッグガードと図７〜図９のレッグガードは、左右対称形状となっている点を除いて、同一の構成を具備するものであるため、詳細な説明は省略する。
【００２３】
なお、本発明は、設計変更可能であって、例えば、図３と図９に於て、裏面５Ａの左右の他方の外端位置、即ち、分離部８が形成されている方とは反対側の外端位置は、図示されている通り上被覆片部１の下端縁１Ｂと下被覆片部２の上端縁２Ｂが上下に小さく離間しているのが好ましく、又は、当接していても良く、あるいは、上被覆片部１と下被覆片部２が連続一体状に形成されていても良い（図示省略）。また、締付ベルト４０は、面状ファスナーを備えていても良い。
【００２４】
以上のように、本発明に係るレッグガードは、横断面弯曲状で縦長の硬質保護板５と、保護板５の裏面５Ａに取着される上被覆片部１と下被覆片部２とを、備え、保護板５の裏面５Ａ側に於て、上被覆片部１の下端縁１Ｂと下被覆片部２の上端縁２Ｂが裏面５Ａの左右方向中間位置５Ｃにて上下に大離間寸法Ｌ０をもって離間した形状の面状凹所６を、裏面５Ａの露出面と下端縁１Ｂ・上端縁２Ｂをもって形成し、裏面５Ａの左右の少なくとも一方の外端位置５Ｄに、上被覆片部１の下端縁１Ｂと下被覆片部２の上端縁２Ｂが小離間寸法Ｌ１をもって離間した分離部８を形成し、上被覆片部１と下被覆片部２を下腿部３０に巻設した装着状態で、保護板５の裏面５Ａ側に、面状凹所６によって、下腿部非接触用空間部９を形成し、かつ、分離部８によって、空間部９の空気の出入口となる通気孔部４が形成されるように構成したので、通気性を向上でき、発汗による蒸れを軽減して、違和感なく快適にプレーできる。下腿部３０と硬質保護板５との間の熱を逃がし、かつ、下腿部３０と硬質保護板５の間に外気を取り込んで、冷却効果をもたらすことができる。
【００２５】
また、上被覆片部１は、保護板５の側端縁から突出状の上舌片１１を有し、かつ、下被覆片部２は、保護板５の側端縁から突出状の下舌片１２を有し、上舌片１１の下端縁１１Ｂと下舌片１２の上端縁１２Ｂは、上下に離間し、かつ、相互に略平行状に形成されているので、上被覆片部１と下被覆片部２を下腿部３０の太い部位と細い部位に夫々に独立して締付けできる。上被覆片部１が脹脛部２８の曲面に沿って弯曲して密着し、かつ、下被覆片部２が足首部２７の曲面に沿って弯曲して密着するように装着できる。上被覆片部１と下被覆片部２が下腿部３０を強く締付けることなく、（上下方向の）位置ズレを防止し、使用者の違和感を軽減できる。
【００２６】
また、保護板５は、表て面５Ｂに複数の突隆部２５を有し、突隆部２５の裏側には凹窪部２４が形成され、面状凹所６が、凹窪部２４に対応するように配設されているので、（面状凹所６により形成される）空間部９の体積が増大し、通気孔部４による換気機能が一層効率的に発揮できる。
【符号の説明】
【００２７】
１  上被覆片部  
１Ｂ  下端縁
２  下被覆片部  
２Ｂ  上端縁
４  通気孔部
５  硬質保護板  
５Ａ  裏面
５Ｂ  表て面
５Ｃ  中間位置
５Ｄ  外端位置
６  面状凹所
８  分離部
９  空間部
１１  上舌片  
１１Ｂ  下端縁
１２  下舌片  
１２Ｂ  上端縁
２４  凹窪部
２５  突隆部
３０  下腿部
Ｌ０  大離間寸法
Ｌ１  小離間寸法
【図１】
2015008908.tif 000003
【図２】
2015008908.tif 000004
【図３】
2015008908.tif 000005
【図４】
2015008908.tif 000006
【図５】
2015008908.tif 000007
【図６】
2015008908.tif 000008
【図７】
2015008908.tif 000009
【図８】
2015008908.tif 000010
【図９】
2015008908.tif 000011